(57)【要約】【課題】光ディスクを確実に保持して取り出すことができ、汚れや傷等による記録データの損失を防ぐことが可能なディスクカートリッジを提供する。【解決手段】ディスクカートリッジ１０の第２のハーフシェル１６にヒンジ部１５を介して回動自在に取り付けられた第１のハーフシェル１４の載置部１８に一対の切欠き２４が形成される。光ディスク１２は外周領域１２３が非記録領域となっており、切欠き２４の幅Ａは非記録領域１２３の幅Ｂより狭く形成される。【選択図】      図３
2004206777.tif 000002
【特許請求の範囲】
【請求項１】
最外周部分に半径方向に所定幅の情報の非記録領域が形成されたディスク状記録媒体を収納するディスクカートリッジにおいて、
前記記録媒体の一方の面をカバーする第１のハーフシェルと、
この第１のハーフシェルに回動自在に取付けられ、前記記録媒体の他方の面をカバーし、周縁部から前記所定幅より狭い幅で前記他方の面の一部を露出させる一対の切欠きが形成された第２ハーフシェルと
を具備したことを特徴とするディスクカートリッジ。
【請求項２】
最外周部分に半径方向に所定幅の情報の非記録領域が形成されたディスク状記録媒体を収納するディスクカートリッジにおいて、
前記記録媒体の一方の面をカバーし、側部に前記記録媒体の側部を露出させる一対の切欠きが形成された第１のハーフシェルと、
この第１のハーフシェルに回動自在に取付けられ、前記記録媒体の他方の面をカバーし、前記第１のハーフシェルの一対の切欠きにそれぞれ対抗する周縁部から前記所定幅より狭い幅で前記記録媒体の他方の面の一部を露出させる一対の切欠きが形成された第２ハーフシェルと
を具備したことを特徴とするディスクカートリッジ。
【請求項３】
最外周部分に半径方向に所定幅の情報の非記録領域が形成されたディスク状記録媒体を収納するディスクカートリッジにおいて、
前記記録媒体の一方の面をカバーし、側部に前記記録媒体の側部を露出させる一対の切欠きが形成された第１のハーフシェルと、
この第１のハーフシェルに回動自在に取付けられ、前記記録媒体の他方の面に対向する載置部を有し、この載置部の前記第１のハーフシェルに形成された一対の切欠きにそれぞれ対向する周縁部から前記所定幅より狭い幅で前記記録媒体の他方の面の一部を露出させる一対の切欠きが形成された第２ハーフシェルと
を具備したことを特徴とするディスクカートリッジ。
【請求項４】
最外周部分に半径方向に所定幅の情報の非記録領域が形成され、この非記録領域の内側領域に情報の記録領域が形成されたディスク状記録媒体を収納するディスクカートリッジにおいて、
前記記録媒体の一方の面をカバーする第１のハーフシェルと、
この第１のハーフシェルに回動自在に取付けられ、前記記録媒体の他方の面に対向する載置部を有し、この載置部には前記記録媒体の非記録領域のみを露出させる一対の切欠きが形成された第２ハーフシェルと
を具備したことを特徴とするディスクカートリッジ。
【請求項５】
最外周部分に半径方向に所定幅の情報の非記録領域が形成され、この非記録領域の内側領域に情報の記録領域が形成されたディスク状記録媒体を収納するディスクカートリッジにおいて、
前記記録媒体の一方の面をカバーし、側部に前記記録媒体の側部を露出させる一対の切欠きが形成された第１のハーフシェルと、
この第１のハーフシェルに回動自在に取付けられ、前記記録媒体の他方の面に対向する載置部を有し、この載置部の前記第１のハーフシェルに形成された一対の切欠きにそれぞれ対向する位置に前記記録媒体の非記録領域のみを露出させる一対の切欠きが形成された第２ハーフシェルと
を具備したことを特徴とするディスクカートリッジ。
【請求項６】
所定の直径を有するディスク状記録媒体を収納するディスクカートリッジにおいて、
前記記録媒体の一方の面をカバーする第１のハーフシェルと、
この第１のハーフシェルに回動自在に取付けられ、前記記録媒体の他方の面に対向する載置部を有し、この載置部には前記記録媒体の他方の面の一部を露出させる一対の切欠きが形成され、一方の切欠きの周縁部から他方の切欠きの先端までの幅が前記記録媒体の前記所定の直径より大きく形成された第２ハーフシェルと
を具備したことを特徴とするディスクカートリッジ。
【請求項７】
所定の直径を有するディスク状記録媒体を収納するディスクカートリッジにおいて、
前記記録媒体の一方の面をカバーし、側部に前記記録媒体の側部を露出させる一対の切欠きが形成された第１のハーフシェルと、
この第１のハーフシェルに回動自在に取付けられ、前記記録媒体の他方の面に対向する載置部を有し、この載置部の前記第１のハーフシェルに形成された一対の切欠きにそれぞれ対向する位置に前記記録媒体の他方の面の一部を露出させる一対の切欠きが形成され、一方の切欠きの周縁部から他方の切欠きの先端までの幅が前記記録媒体の前記所定の直径より大きく形成された第２ハーフシェルと
を具備したことを特徴とするディスクカートリッジ。
【請求項８】
前記ディスク状記録媒体は光ディスクであることを特徴とする請求項１乃至７記載のディスクカートリッジ。
【発明の詳細な説明】
【０００１】
【発明の属する技術分野】
本発明は、光ディスク等のディスク状記録媒体を取り外し自在に収納するディスクカートリッジに関する。
【０００２】
【従来の技術】
音楽ＣＤなどに代表される再生専用の光ディスクは、保存状態ではケースに入れられるが、再生装置への挿入や取り出し時などには裸の状態で取り扱われる。再生装置のローディング機構も裸の光ディスクを想定した構成となっている。また、ＣＤ−Ｒ／ＲＷなど記録型の光ディスクについても、再生専用の装置でデータ再生を行う際には音楽ＣＤと同様に裸の状態で取り扱われている。
【０００３】
このような再生専用の光ディスクをケース内に収納した場合、ディスクはその中心孔の部分で支持され、ディスクの記録面はケース内面に接触しないようにケース内面から浮き上がった状態で保持される。従って、光ディスクをケースから取り出す際、ケース内面から浮き上がったディスクのエッジ部分を指で把持し取り出すことができる。
【０００４】
これに対し、データの書き換え可能な光ディスクは再生専用の光ディスクに比較して傷や汚れに対するデータ記録再生の信頼性が低い。そのため、光ディスクの記録面を保護するディスクカートリッジに光ディスクを収納し、この光ディスクが収納されたディスクカートリッジをディスクカートリッジ対応の光ディスク装置に装着する方法が用いられる。例えば、ハンディビデオカメラなどにおける記録装置として光ディスク装置が用いられている場合、光ディスクを屋外で取り扱う機会が多く、記録面に直接触れないで光ディスクを取り扱うためにはディスクカートリッジが必須となる。カートリッジは、再生装置のローディング機構によって所定位置にローディングされ、記録再生のための光ピックアップヘッドがカートリッジに形成されたアクセス窓を介して光ディスクの記録面にアクセスできる機構となっている。
【０００５】
このディスクカートリッジに記録したデータをカートリッジ非対応の光ディスク装置で再生する場合には、ディスクカートリッジから光ディスクを取り出して光ディスク装置に装着する。
【０００６】
ディスクカートリッジに装着された光ディスクを取り出す際には、光ディスクの記録面に触れることなく簡単に取り出せ、かつ取り出し時に光ディスクの記録面が傷つくことを防止する構造が考えられている（例えば、特許文献１参照。）。
【０００７】
この特許文献１のディスクカートリッジは、扁平なベース部とベース部に介して開閉自在に取り付けられた扁平なカバー部とを備え、これらのベース部とカバー部との間に光ディスクが収納される。ベース部およびカバー部には、光ディスクの記録面にアクセスするためのアクセス窓が形成されている。そして、カバー部を開くことにより、カートリッジの中に収納された光ディスクを取り出すことができる。
【０００８】
【特許文献１】
特開２０００−３３１４４８号公報（第４−６頁、第１図）
【０００９】
【発明が解決しようとする課題】
しかし、上記特許文献１のカートリッジにおいて、光ディスクを取り出す際にはカバー部を開いた状態でカートリッジ全体をひっくり返し、もう一方の手で光ディスクを受け取るか、あるいは、記録面を避け、手の指で光ディスクの中心孔か周縁部を把持して取り出す以外にない。しかしながら、光ディスクの中心孔あるいは周縁を確実に支持することは困難であり、光ディスクを落としてしまうか、あるいは、ディスク面に指紋、傷等を付けてしまうおそれがある。
【００１０】
本発明は上記課題に鑑み、簡単な構成で確実にかつ容易に保持して取り出すことができ、汚れや傷による記録データの損失を防ぐことが可能なディスクカートリッジを提供することを目的とする。
【００１１】
【課題を解決するための手段】
本発明のディスクカートリッジは、ディスク状記録媒体の一方の面をカバーする第１のハーフシェルと、この第１のハーフシェルに回動自在に取付けられ、ディスク状記録媒体の他方の面をカバーし、周縁部からディスク状記録媒体の外周部に設けられる非記録領域の幅より狭い幅でディスク状記録媒体の他方の面の一部を露出させる一対の切欠きが形成された第２ハーフシェルとを具備する。
【００１２】
また、本発明のディスクカートリッジは、ディスク状記録媒体の一方の面をカバーし、側部にディスク状記録媒体の側部を露出させる一対の切欠きが形成された第１のハーフシェルと、この第１のハーフシェルに回動自在に取付けられ、ディスク状記録媒体の他方の面をカバーし、第１のハーフシェルの一対の切欠きにそれぞれ対抗する周縁部にディスク状記録媒体の外周部に設けられた非記録領域の幅より狭い幅でディスク状記録媒体の他方の面の一部を露出させる一対の切欠きが形成された第２ハーフシェルとを具備する。
【００１３】
また、本発明のディスクカートリッジは、ディスク状記録媒体の一方の面をカバーし、側部にディスク状記録媒体の側部を露出させる一対の切欠きが形成された第１のハーフシェルと、この第１のハーフシェルに回動自在に取付けられ、ディスク状記録媒体の他方の面に対向する載置部を有し、この載置部の第１のハーフシェルに形成された一対の切欠きにそれぞれ対向する周縁部からディスク状記録媒体の外周部に設けられた非記録領域の幅より狭い幅でディスク状記録媒体の他方の面の一部を露出させる一対の切欠きが形成された第２ハーフシェルとを具備する。
【００１４】
また、本発明のディスクカートリッジは、ディスク状記録媒体の一方の面をカバーする第１のハーフシェルと、この第１のハーフシェルに回動自在に取付けられ、ディスク状記録媒体の他方の面に対向する載置部を有し、この載置部にはディスク状記録媒体の非記録領域のみを露出させる一対の切欠きが形成された第２ハーフシェルとを具備する。
【００１５】
また、本発明のディスクカートリッジは、ディスク状記録媒体の一方の面をカバーし、側部にディスク状記録媒体の側部を露出させる一対の切欠きが形成された第１のハーフシェルと、この第１のハーフシェルに回動自在に取付けられ、ディスク状記録媒体の他方の面に対向する載置部を有し、この載置部の第１のハーフシェルに形成された一対の切欠きにそれぞれ対向する位置にはディスク状記録媒体の非記録領域のみを露出させる一対の切欠きが形成された第２ハーフシェルとを具備する。
【００１６】
また、本発明のディスクカートリッジは、ディスク状記録媒体の一方の面をカバーする第１のハーフシェルと、この第１のハーフシェルに回動自在に取付けられ、ディスク状記録媒体の他方の面に対向する載置部を有し、この載置部の周縁部からディスク状記録媒体の外周部に設けられた非記録領域の幅より狭い幅でディスク状記録媒体の他方の面の一部を露出させる一対の切欠きが形成され、第２のハーフシェルの一方の切欠きの周縁部から他方の切欠きの先端までの幅がディスク状記録媒体の直径より大きく形成された第２ハーフシェルとを具備する。
【００１７】
また、本発明のディスクカートリッジは、ディスク状記録媒体の一方の面をカバーし、側部にディスク状記録媒体の側部を露出させる一対の切欠きが形成された第１のハーフシェルと、この第１のハーフシェルに回動自在に取付けられ、ディスク状記録媒体の他方の面に対向する載置部を有し、この載置部の第１のハーフシェルに形成された一対の切欠きにそれぞれ対向する位置にディスク状記録媒体の他方の面の一部を露出させる一対の切欠きが形成され、一方の切欠きの周縁部から他方の切欠きの先端までの幅がディスク状記録媒体の前記所定の直径より大きく形成された第２ハーフシェルとを具備する。
【００１８】
【発明の実施の形態】
以下、図面を参照して、本発明の実施形態を説明する。
図１および図２は本実施形態に係わるディスクカートリッジの斜視図であり、図１はカートリッジを閉じた状態を、図２はカートリッジを開けた状態を示している。なお、ディスクカートリッジは厚さ約１．２ｍｍ、径８０ｍｍの両面でデータの書き換えが可能な光ディスクを収納するものとする。
【００１９】
光ディスク１２を収納するディスクカートリッジ１０は光ディスク１２の一方の記録面をカバーする第１のハーフシェル１４と、ヒンジ部１５を介して第１のハーフシェル１４に開閉自在に取り付けられ光ディスク１２の他方の記録面をカバーする第２のハーフシェル１６からなる。両ハーフシェル１４、１６が閉じられた状態では、カートリッジ１０は扁平なほぼ円形状となる。
【００２０】
第１のハーフシェル１４は、光ディスク１２が載置された際に光ディスク１２の一方の記録面に対向するほぼ円形の第1の載置部１８とこの載置部１８の周縁に沿って立設された側壁２０とを一体に有している。第1の載置部１８は光ディスク１２の径よりも大きな内径を有し、側壁は光ディスク１２の厚さよりも大きな高さに形成されている。光ディスク１２は第１の載置部１８上で側壁２０の内側に僅かな隙間を持って装着されている。
【００２１】
更に、第１のハーフシェル１４には、収納された光ディスク１２を把持するための一対の切欠き２４が形成されている。各切欠き２４は、側壁２０の一部および第1の載置部１８の周縁の一部を切欠いて形成される。特に、第１の載置部１８においては、その周縁から中心に向かって凸の円弧状に延出している。切欠き２４間の間隔は、光ディスク１２の直径よりも小さく形成される。
【００２２】
第２のハーフシェル１６は、切欠きの部分を除き第１のハーフシェル１４とほぼ同様に構成される。第２のハーフシェル１６は、光ディスク１２が載置された際に光ディスク１２の他方の記録面に対向するほぼ円形の第２の載置部３０とこの載置部３０の周縁に沿って立設された側壁３２とを一体に有している。第２の載置部３０は第１のハーフシェル１４の外径とほぼ等しい径を有し、側壁３２は第１のハーフシェル１４の側壁２０よりも薄く形成されている。第２の載置部３０には、図示せぬ光ディスク装置の光ピックアップヘッドが光ディスク１２へアクセスするたのアクセス窓３３が形成され、第２の載置部３０の中央部からヒンジ部１５側の側縁まで帯状に延びている。
【００２３】
なお、第１のハーフシェル１４にも、第２のハーフシェル１６に形成されたアクセス窓３３に対向する位置に、アクセス窓３３と同形状のアクセス窓２２が形成されている。
【００２４】
側壁３２の内、第１のハーフシェル１４の切欠き２４に対応する部分は、切除され切欠き３４を形成している。これらの切欠き３４は、アクセス窓３３の両側に位置し、第２の載置部３０の中心を間に挟んで対向している。これらの切欠き３４はほぼ直線状の切欠きとして形成されている。
【００２５】
第２のハーフシェル１６を閉じて光ディスク１２を収納した状態において、第１のハーフシェル１４の第１の載置部１８および第２のハーフシェル１６の第２の載置部３０は、光ディスク１２を挟んで互いに平行に対向しているとともに、それぞれ光ディスク１２の記録面と対向する。側壁２０は光ディスク１２の周縁に対向し、第２のハーフシェル１６の側壁３２は第１のハーフシェル１４の側壁２０外面側に係合する。
【００２６】
また、第１のハーフシェル１４に形成されたアクセス窓２２と第２のハーフシェル１６に形成されたアクセス窓３３は、光ディスク１２を間に挟んで対向し、光ディスク１２の両面の一部および光ディスク１２の中心孔１３はこれらのアクセス窓を通して外部に露出する。さらに、第２のハーフシェル１６の切欠き３４は、それぞれ第１のハーフシェル１４の切欠き２４と重なって位置する。
【００２７】
次に、光ディスク１２の径と切欠き２４との関係および光ディスク１２の記録領域と切欠き２４との関係を図２および図３を用いて説明する。
図３は光ディスク１２を収納した状態のディスクカートリッジ１０の平面図である。なお、同図において図１、図２と同一部分には同一符号を付し、説明を省略する。
【００２８】
光ディスク１２は内周領域１２１、外周領域１２３および内周領域１２１と外周領域で挟まれた中間領域１２５に分けられる。内周領域１２１および外周領域１２３は情報の非記録領域である。情報は記録領域である中間領域１２５にのみ記録される。
【００２９】
切欠き２４は、光ディスク１２が最も切欠き２４から露出（突出）した際に、記録領域１２５が切欠き２４から露出（突出）しないように形成される。すなわち、図３において、周縁から中心に向かって凸の円弧状に延出した切欠き２４の先端部までの幅Ａが非記録領域である外周領域１２３の半径方向の幅Ｂより小さく形成される。
【００３０】
これにより、記録領域１２５が切欠き２４から露出（突出）することがなくなり、記録領域にごみや汚れが付着することを防止できる。
また、切欠き２４は、光ディスク１２が一方の切欠き２４（図３における左の切欠き２４）から最も露出（突出）した際に、他方の切欠き２４（図３における右の切欠き２４から露出（突出）しないように形成される。すなわち、一方の切欠き２４に周縁から他方の切欠き２４の先端部までの幅Ｄが光ディスク１２の直径Ｃより大きく形成される。
【００３１】
これにより、ディスクカートリッジ１０の図示せぬ光ディスク装置からの排出時に、ディスクカートリッジ１０が図示せぬ光ディスク装置のローディング機構により矢印Ｅ方向から押された際に、ローディング機構が光ディスク１２に応力を与えることがなくなり、光ディスク１０がローディング機構による応力で破損することがなくなる。
【００３２】
上記のように構成されたディスクカートリッジ１０によれば、光ディスク１２を取出す場合、図１に示す閉状態から図２に示す開状態に第２のハーフシェル１６を上方に回動して開放する。そして、一対の切欠き２４の位置で光ディスク１２の周縁部を両側から把持し、光ディスクを第１のハーフシェル１４から取り出す。この際、各切欠き２４は光ディスク１２の周縁を越えて中心孔１３方向へ延出しているため、これらの切欠き２４を利用して光ディスクの周縁部に指を掛け、光ディスクを確実に把持することができる。
【００３３】
そのため、光ディスクの取出し時、不用意にディスク記録面を触って、指紋などの汚れが付いたり、あるいは、光ディスクを落として記録面に傷や汚が付いてしまうといった不具合を防ぐことができる。同時に、光ディスクの取扱いを容易にすることが可能となる。
【００３４】
なお、この発明は上述した実施の形態に限定されることなく、種々変形可能である。例えば、上述した実施の形態において、第１のハーフシェルに一対の切欠き２４を設ける構成としたが、少なくとも一方の切欠きが設けられていればよい。この場合、例えば、光ディスク１２の取り出し時、切欠き２４の位置で光ディスクの周縁部に指を掛けるととともに中心孔１３に指を掛けることにより、記録面に触ることなく光ディスクを確実に把持することができる。
【００３５】
また、切欠き２４の形状は、円弧状に限らず、三角形状、多角形状等、任意の形状とすることができる。例えば、切欠きは直線状としてよい。但し、この場合においても、各切欠きは、光ディスクの周縁よりもディスク中心側へ延出している。そして、光ディスクの周縁部は、切欠きの位置で露出し、指を掛けることができる。更に、この発明は径８０ｍｍの光ディスクに限らず、他の径を有する光ディスクや光磁気ディスクなどディスク状記録媒体に適用することができる。
【００３６】
【発明の効果】
本発明によれば、ディスク状記録媒体の取り出しおよび収納が容易に行えると共にディスク状記録媒体の記録面の保護を十分に行うことが可能になる。
【図面の簡単な説明】
【図１】本実施形態に係るディスクカートリッジの斜視図。
【図２】開いた状態のディスクカートリッジを示す斜視図。
【図３】ディスクカートリッジ内に光ディスクを収納した状態を示す平面図。
【符号の説明】
１０    ディスクカートリッジ
１２    光ディスク
１４    第１のハーフシェル
１５    ヒンジ部
１６    第２のハーフシェル
１８    第１の載置部
３０    第２の載置部
２０、３２    側壁
２２、３３    アクセス窓
２４、３４    切欠き
１２１    内周領域
１２３    外周領域
１２５    記録領域
【図１】
2004206777.tif 000003
【図２】
2004206777.tif 000004
【図３】
2004206777.tif 000005